(57)【要約】      （修正有）【課題】簡単な構成で、媒体の種類・特性に応じて、安定した媒体の搬送を行うことができる媒体の排出機構を提供する。【解決手段】第一ロール部材と、該第一ロール部材に複数設けられた第二ロール部材２００と、該第二ロール部材２００を軸支する取付部材３００とを有し、取付部材３００は、第二ロール部材２００の周面を覆うカバー部と、第二ロール部材２００の支持軸２４０を支持し、媒体の排出を安定させる調整溝３２０とからなり、第二ロール部材２００は、周縁が突出し、第一ロール部材と対向する当接部２３０を備え、支持軸２４０は、当接部２３０より内側に配置されていることを特徴とする。【選択図】図３
2014162631.tif 000002
【特許請求の範囲】
【請求項１】
第一ロール部材と、該第一ロール部材に複数設けられた第二ロール部材と、該第二ロール部材を軸支する取付部材とを有し、
前記取付部材は、前記第二ロール部材の周面を覆うカバー部と、前記第二ロール部材の支持軸を支持し、媒体の排出を安定させる調整溝とからなることを特徴とする媒体の排出機構。
【請求項２】
前記第二ロール部材は、周縁が突出し、前記第一ロール部材と対向する当接部を備え、
前記支持軸は、前記当接部より内側に配置されていることを特徴とする請求項１記載の媒体の排出機構。
【請求項３】
前記取付部材は薄板状の部材からなり、
前記調整溝は、前記当接部の突出部分より内側に配置されていることを特徴とする請求項１記載の媒体の排出機構。
【請求項４】
前記第二ロール部材は、前記第一ロール部材の中央部に配置された主第二ロール部材を基準として、両側に順次均等に、副第二ロールが配置されていることを特徴とする請求項１または２記載の媒体の排出機構。
【請求項５】
前記主第二ロール部材は、前記第一ロール部材と前記第二ロール部材に前記媒体を通過する最小幅を有することを特徴とする請求項４記載の媒体の排出機構。
【請求項６】
各前記副第二ロール部材は、前記媒体を通過する幅に応じて、配置されていることを特徴とする請求項５記載の媒体の排出機構。
【請求項７】
第一ロール部材と第二ロール部材とは、前記媒体に画像を形成した後に、該画像を前記媒体に定着装置の下流側に配置されていることを特徴とする請求項１記載の媒体の排出機構。
【請求項８】
前記媒体は、布帛、ロール状部材、シート部材であることを特徴とする請求項１、５また７のいずれか記載の媒体の排出機構。
【発明の詳細な説明】
【技術分野】
【０００１】
本発明は、媒体を処理した後に、外部に媒体を排出するための媒体の排出機構に関するものである。例えば、布帛、ロール紙、シート、フィルム等の媒体（以下、「媒体」とよぶ。）に、画像形成部で形成された画像を記録し、定着装置により、その画像を媒体に定着した後に、排出する媒体の排出機構に関するものである。
【背景技術】
【０００２】
媒体を排出する機構として特許文献１および２がある。特許文献１は、第１ローラのロール体と第２ローラのロール体同士が対向する排出ローラ対とからなる。
【０００３】
特許文献１の図２に示すように、第１ローラのロール体は、第２ローラのロール体に圧接されてニップ（Ｎ）を形成し得るニップ周面（２１）と、ニップ周面の側方に設けられて上記第２ローラのロール体に接触しない非ニップ周面（２２）とを備える。
【０００４】
さらに、非ニップ周面には、ニップを通過する用紙（Ｐ）を搬送方向（Ａ）と直交する幅方向に波打たせて用紙に腰を付けるための腰付け突起（１８）が弾力的に突出している。
【０００５】
この構成により、用紙Ｐが撓み易い薄手のコピー紙である場合、腰付け突起１８は、非ニップ周面２２からの突出量を自由状態と略同じに保ったままで、用紙Ｐに腰をつける。
【０００６】
一方、用紙Ｐが撓みにくい厚手の画用紙である場合、用紙Ｐに当たった腰付け突起１８は、用紙Ｐの押圧力によって、非ニップ周面２２からの突出量が所定量減少して、先端のみが非ニップ周面２２から突出して、用紙Ｐに腰をつける。
【０００７】
この結果、用紙Ｐと腰付け突起１８との圧接力、すなわち用紙Ｐの厚みに応じて、腰付け突起１８の非ニップ周面２２からの突出量を少なくすることができるものである。
【０００８】
特許文献２は、上下一対のガイド部材４０ａ，４０ｂと、排出ローラ対５１，５２とからなり、上下一対のガイド部材４０ａ，４０ｂの、排出ローラ対５１，５２よりもシート排出方向上流側の、排出ローラ対５１，５２によって波形状とされたシートの凸部と当接する部分に切り欠き部Ｋを形成する。
【０００９】
この構成により、特許文献２は、排出ローラ対よってシートを波打たせて排出する場合でも、画質が低下しないようにすることができる。
【００１０】
【特許文献１】特開２００６−２３２４９７号公報
【特許文献２】特開２０１１−１９５２４５号公報
【発明の開示】
【発明が解決しようとする課題】
【００１１】
しかし、特許文献１、２は、軸（特許文献１でいう支軸１１２、１２２）に複数のローラが設けられている構成であるため、軸の自重と複数のローラの自重とにより、軸が撓み、媒体の安定した搬送を得ることができないという問題がある。
【００１２】
このため、特許文献１、２の構成は、軸の自重と複数のローラの自重とを調整する必要があった。特に、媒体が幅広の場合、大型化し、これらの荷重調整を行うことが難しくなるものであった。
【００１３】
また、これに加え、搬送する媒体の種類を考慮した場合、さらに難しいものとなった。例えば、媒体が布帛の場合、サテンやシルクのように表面が平滑なものや、編み物（ニット）のように凹凸があるものなどの場合、厚さの程度が著しくなるため、この布帛の重量も考慮する必要があるからである。
【課題を解決するための手段】
【００１４】
上記の問題を解決するために、本発明は、請求項１記載の発明は、第一ロール部材と、該第一ロール部材に複数設けられた第二ロール部材と、該第二ロール部材を軸支する取付部材とを有し、取付部材は、第二ロールの周面を覆うカバー部と、第二ロールの支持軸を支持し、媒体の排出を安定させる調整溝とからなることを特徴とする。
【００１５】
また、請求項２記載の発明は、第二ロール部材は、周縁が突出し、第一ロール部材と対向する当接部を備え、支持軸は、当接部より内側に配置されていることを特徴とする。次に、請求項３記載の発明は、取付部材は薄板状の部材からなり、調整溝は、当接部の突出部分より内側に配置されていることを特徴とする。
【００１６】
さらに、請求項４記載の発明は、第二ロール部材は、前記第一ロール部材の中央部に配置された主第二ロール部材を基準として、両側に順次均等に、副第二ロールが配置されていることを特徴とする。また、請求項５記載の発明は、主第二ロール部材は、第一ロール部材と第二ロール部材に媒体を通過する最小幅を有することを特徴とする。
【００１７】
さらに、また請求項６記載の発明は、各副第二ロール部材は、媒体を通過する幅に応じて、配置されていることを特徴とする。次に、請求項７記載の発明は、第一ロール部材と第二ロール部材とは、媒体に画像を形成した後に、該画像を媒体に定着装置の下流側に配置されていることを特徴とする。なお、請求項８記載の発明は、媒体は、布帛、ロール状部材、シート部材であることを特徴とする。
【発明の効果】
【００１８】
本発明は、第一ロール部材と、該第一ロール部材に複数設けられた第二ロール部材と、該第二ロール部材を軸支する取付部材とからなり、取付部材を、第二ロールの周面を覆うカバー部と、第二ロールの支持軸を支持し、媒体の排出を安定させる調整溝と構成することにより、第一ロール部材に、各第二ロール部材の自重が作用し、各第二ロール部材の自重の調整のみで、安定した媒体の搬送を得ることができる。
【００１９】
また、調整溝により、媒体の特性、例えば、媒体の厚みが変化した場合、その厚みの分だけ、各第二ロール部材がシフトし、媒体に対し、一定の押圧力が作用する。この結果、第一ロール部材と媒体との間、および媒体および各第二ロール部材との間に一定のグリップ力が発生し、媒体の厚みが変更されても、安定した媒体の搬送を得ることができる。
【００２０】
さらに、第二ロール部材を、周縁が突出し、第一ロール部材と対向する当接部を備え、当接部より内側に、支持軸を配置することにより、第二ロール部材を配置する間隔の隙間を少なくすることができる。
【００２１】
また、取付部材を薄板状の部材とし、調整溝を、当接部の突出部分より内側に配置することにより、第二ロール部材を支持するとともに、第二ロール部材を配置する間隔の隙間を少なくすることができる。
【００２２】
次に、第二ロール部材を、第一ロール部材の中央部に配置された主第二ロール部材を基準として、副第二ロールを、両側に順次均等に配置することにより、排紙する媒体に対して、均一にグリップ力が作用し、安定した媒体の搬送を得ることができる。
【００２３】
具体的に、主第二ロール部材の幅を、第一ロール部材と第二ロール部材とを通過する媒体の最小幅とすることにより、排紙する媒体に対して、均一にグリップ力が作用し、安定した媒体の搬送を得ることができる。
【００２４】
また、各副第二ロール部材については、媒体を通過する幅に応じて、配置することにより、先の効果を具体化することができる。
【図面の簡単な説明】
【００２５】
【図１】本発明の媒体の排紙機構を適用した装置の概略図。
【図２】本発明の媒体の排紙機構の概略図。
【図３】第二ロール部材の詳細を示す図であり、図２の矢視Ａから見た断面図。
【発明を実施するための最良の形態】
【００２６】
以下、本発明の実施の形態を図面に基づいて説明する。はじめに、本発明の媒体の排紙機構を適用した装置の概略図について説明する。図１に、本発明の排出機構を適用した画像形成装置の概略図を示す。
【００２７】
なお、この媒体の排紙機構は、図1に限定されるものではなく、原稿を搬送して、データを読み込むラスタースキャン (Raster scan)タイプの画像読取装置等に適用しても良い。
【００２８】
この装置は、繰出部Ｃにより媒体Ｐを繰り出し、繰り出された媒体Ｐを搬送部Ｄにより画像形成部Ｅに送って、次いで、転写部Ｉにより媒体Ｐに画像を転写し、その後、媒体Ｐに転写された画像を定着部Ｈで定着して、本発明の媒体の排出機構を介して、巻取部Ｇにより媒体Ｐを巻き取るものである。
【００２９】
媒体Ｐは、紙、フィルムまたは天然や人造の布帛、織物、不織物、編み物（ニット）等の表面に凹凸を有するものである。なお、媒体は、ロール紙、ＯＰＣ等のシートであっても良い。
【００３０】
繰出部Ｃと定着部Ｈと間は、媒体Ｐの引っ張り力が一定となるように調整されている。具体的には、繰出部Ｃに、一対のローラのグリップ力（Ｆ）よりも強い力（Ｆ１）が加わるようになると、搬送される媒体Ｐが定着部Ｈ側に引っ張られ、この媒体Ｐに強いテンションが作用するように調整されている。
【００３１】
巻取部Ｇは、画像が定着された媒体Ｐを巻き戻すものである。また、繰出部Ｃと同様に、巻取部Ｇも、定着部Ｈの媒体Ｐの引っ張り力が一定となるように構成されている。
【００３２】
搬送部Ｄは、繰出部Ｃから繰出された媒体Ｐを、転写部Ｉおよび定着部Ｈに搬送するものである。搬送部Ｄは、ループ状のベルトＤ１０（無端ベルト）と、駆動ユニットＤ２０と、従動ローラＤ３０とからなる。
【００３３】
画像形成部Ｅは、媒体Ｐに転写する画像を形成するものである。画像形成部Ｅは、各色に対応した画像形成手段Ｅ１０と、各画像形成手段Ｅ１０で形成された像を転写部Ｉ側に搬送する現像剤像担持体Ｅ２０とからなる。
【００３４】
画像形成手段Ｅ１０は、上から順に、イエローＹ、マゼンタＭ、シアンＣ、ブラックＢＫが並列に配置されている。像担持体Ｅ１１の周囲に、像担持体Ｅ１１上の残留電荷を除去する除電手段（図示せず）と、像担持体Ｅ１１の表面を特定極性に帯電する帯電手段（図示せず）、帯電された像担持体Ｅ１１の静電潜像を形成する露光手段（図示せず）と、像担持体Ｅ１１の表面に形成された静電潜像を現像剤により現像する現像装置Ｅ１２とからなる。
【００３５】
現像剤像担持体Ｅ２０は、各色の画像形成手段Ｅ１０で形成された現像剤像を媒体Ｐ側に搬送するものである。現像剤像担持体Ｅ２０は、ループ状のベルトＥ２１（無端ベルト）と、Ｅ２３と、従動ローラＥ２３と、近接ローラＥ２４とからなる。
【００３６】
駆動ローラＥ２２と従動ローラＥ２３と近接ローラＥ２４とによって、ベルトＥ２１は、張力がかかった状態で掛け渡されている。ベルトＥ２１内には、各色の画像形成手段Ｅ１０（Ｙ、Ｍ、Ｃ、Ｂｋ）に対応した転写手段（Ｙ、Ｍ、Ｃ、Ｂｋ）が配置されている。
【００３７】
近接ローラＥ２４は、駆動ユニットＥ２０の二つのローラ間に設けられ、ベルトＥ２１に各色の転写手段（Ｙ、Ｍ、Ｃ、Ｂｋ）によりされた現像剤像が媒体Ｐに転写されやすいように、転写部Ｉ側に突出している。
【００３８】
転写部Ｉは、現像剤像担持体Ｅ２０に転写された現像剤像を媒体Ｐに転写するものであり、図示しない筐体に取り付けられている。
【００３９】
次に、本発明の媒体の排出機構について説明する。図２に示すように、本発明の媒体の排出機構は、第一ロール部と第二ロール部と取付部材３００とからなる。第一ロールは、長尺の一本のローラであり、図示しない筐体に取り付けられる回転軸１１０と、ゴム等の弾性体で形成されたローラ部１２０とからなる。
【００４０】
第二ロール部材２００は、第一ロール部材１００上に、複数設けられている。第一ロール部材１００と第二ロール部材２００との間に媒体が搬送されやすいように、第二ロール部材２００の径は、第一ロール部材１００の径より小さくなっている。
【００４１】
また、第二ロール部材２００は、図３に示すように、アルミ部材を削りだして形成したものであり、周縁が突出し第一ロール部材１００と対向する当接部２３０と、各第二ロール部材２００を支持する軸支する支持軸２４０とからなる。
【００４２】
このように、第二ロール部材２００を構成することにより、第二ロール部材２００の側面に凹部２５０が形成され、その凹部２５０内に支持軸２４０を配置することが可能となる。この結果、後に述べる取付部材３００による支持軸２４０の支持スペースが確保することができる。
【００４３】
つまり、第二ロール部材２００が円筒形状である場合には、支持軸２４０が当接部２３０の側面から突出するため、取付部材３００による支持軸２４０の支持スペースは、第二ロール部材２００の幅より多く取る必要がある。これに対し、本発明の第二ロール部材２００は、凹部２５０が形成されるため、その余分なスペースをなくすことができるものである。
【００４４】
取付部材３００は、薄板状の部材を折り曲げたものであり、第二ロール部材２００の周面を覆うカバー部３１０と、第二ロール部材２００を支持する支持部３３０とからなる。なお、図示してないが、取付部材３００は、図示しない部材により、片持ちで取り付けられている。支持部３３０は、第二ロール部材２００の側面に沿って伸び、先端部３４０は凹部２５０内に収容されるように凹部２５０側に折れ曲がっている。
【００４５】
さらに、先端部３４０には、第二ロール部材２００の支持軸２４０を支持する調整溝３２０が設けられている。調整溝３２０は、図示されていないが、媒体の厚み等に対応できるように、第一ロール部材１００から離れるように形成されている。
【００４６】
このように、取付部材３００は、第一ロール部材１００と第二ロール部材２００とに媒体が通過する領域を除く、第二ロール部材２００の周面を覆い、且つ第二ロール部材２００の凹部２５０内に配置された支持軸２４０をその凹部２５０内で支持する構成とするため、軸の支持構造において、第一ロール部材１００のように、ローラ部１２０の幅に加えて、ローラ部１２０から突出した回転軸１１０の長さ分のスペースをなくすことができる。
【００４７】
この結果、第二ロール部材２００と取付け部材とをユニット化することが可能となり、第二ロール部材２００に隙間がほとんど無い状態で、配置することができる。
【００４８】
また、複数、第二ロール部材２００を配置する構成により、上下一対のローラのように、各ローラが撓むようなことがなくなり、第一ロール部材１００に作用する押圧力を分散することが可能となり、第一ロール部材１００と向かい合う第二ロール部材２００の自重のみを作用させることができる。
【００４９】
なお、取付部材３００は、薄板状の部材を折り曲げたものに限定されるものではなく、例えば、樹脂・金属等により射出形成したものであってもよい。
【００５０】
さらに、第一ロール部材１００と向かい合う第二ロール部材２００の自重のみを作用させることができるため、第二ロール部材２００を、アルミ以外の金属の削り出しや、金属・樹脂等の射出形成等により構成して、媒体搬送の安定化を図るための荷重調整を容易に行うことができる。
【００５１】
特に、第一ロール部材１００に対し、作用する荷重を均一化したり、特定部分のみに作用する荷重を変更したりすることも、容易に行うことができる。
【００５２】
次に、第二ロール部材２００を、第一ロール部材１００の中央部に配置された主第二ロール部材２１０と、この主第二ロール部材２１０の両側に順次、均等に配置される副第二ロール部材２２０とにより構成する。
【００５３】
主第二ロール部材２１０の幅は、第一ロール部材１００と第二ロール部材２００に媒体を通過する最小幅に対応した幅を有する。また、各副第二ロール部材２２０の幅は、通過する媒体の幅に対応した幅を有する。
【００５４】
第二ロール部材２００を、以上のように構成することにより、第二ロール部材２００自体の荷重調整とともに、媒体に接触する面積も同時に調整することができ、さらに、正確に、媒体搬送の安定化を図るための荷重調整を容易に行うことができる。
【符号の説明】
【００５５】
１００  第一ロール部材
２００  第二ロール部材
２１０  主第二ロール部材
２２０  副第二ロール部材
２４０  支持軸
３００  取付部材
３１０  カバー部
３２０  調整溝
Ｐ  媒体
Ｈ  定着装置
【図１】
2014162631.tif 000003
【図２】
2014162631.tif 000004
【図３】
2014162631.tif 000005